(57)【特許請求の範囲】
【請求項１】
立壁に囲まれた上方に開口する荷重検出機構収容室が形成された下ケースと、前記収容室に収容され、上方に計量皿を連結した荷重検出機構と、下端周縁部が前記下ケースの周縁部に嵌合し、前記収容室の上方を覆う防水カバーとなるドーム型の金属製上ケースを備え、前記上ケースの頂部には、前記計量皿と荷重検出機構を連結する連結部材が貫通する上方開口部が設けられ、前記連結部材に周設された係合溝に内周縁を圧入され、前記立壁に周設された係合溝に外周縁を圧入され、前記連結部材と前記立壁の間の隙間を閉塞する伸縮性の防水ダイヤフラムが介装されたことを特徴とする防水秤。
【請求項２】
請求項１に記載の防水秤において、前記上ケースに設けられた側方開口部には、防水機能を備えた合成樹脂製表示ユニットが取着され、前記立壁に設けた貫通孔から導出して前記表示ユニットに延びる通電用コードが、前記表示ユニットと前記立壁間に配設されたフレキシブルな防水パイプ内に挿通されたことを特徴とする防水秤。
【請求項３】
請求項１に記載の防水秤において、前記下ケースにおける前記荷重検出機構収容室の真下には、蓋が底面側に開口可能な電源収容室が設けられたことを特徴とする防水秤。
【請求項４】
立壁に囲まれた上方に開口する荷重検出機構収容室が形成された合成樹脂製下ケースと、前記収容室に収容された荷重検出機構と、前記荷重検出機構の上方に計量皿を連結する連結部材と、前記連結部材に周設された係合溝に内周縁が弾性係合し、かつ前記荷重検出機構収容室を形成する立壁に周設された係合溝に外周縁が弾性係合することで、前記連結部材と立壁間に介装された伸縮性の防水ダイヤフラムとを備えたことを特徴とする防水秤。
【請求項５】
請求項４に記載の防水秤において、前記防水ダイヤフラムの内周縁には前記連結部材に周設された係合溝へ弾性係合する厚肉リブが形成され、前記防水ダイヤフラムの外周縁には前記立壁の係合溝に弾性係合する断面コ字型の圧入部が形成され、前記厚肉リブはリング状弾性体の前記係合溝への圧入により前記連結部材に固定され、前記圧入部は紐状弾性体の前記圧入部のコ字開口部内への圧入により前記立壁に把持されることを特徴とする防水秤。
【発明の詳細な説明】
【０００１】
【発明の属する技術分野】
本発明は、電子秤に係り、特に計量皿の下部に連結一体化されている荷重検出機構を収容する収容室に対し防水がとられた電子秤（以下、防水秤という）に関する。
【０００２】
【従来の技術】
この種の防水秤は、図１１に示すように、上方に開口する外部ケース２内に、荷重検出機構４を内蔵した上方に開口するユニットケース３が収容され、荷重検出機構４に計量皿５が連結一体化されて構成されている。符号９は、荷重検出機構４で検出した検出値を演算制御等する電子回路基板である。そして、荷重検出機構４を収容するユニットケース３の防水構造としては、ユニットケース３の立壁３ａ上端部に沿ってシールパッキン６が装着されるとともに、外部ケース２の上方開口部を覆うように延在する蓋体８が立壁３ａに設けた接続板３ｂにビス３ｃ止めされて、シールパッキン６が立壁３ａ上端部と蓋体８下面間に圧接保持されてユニットケース３内が防水されている。さらに、蓋体８と計量皿５との間には、両者８，５間の隙間を閉塞する防水膜シート７がビス７ａ，７ｂ止めにより介装されている。
【０００３】
【発明が解決しようとする課題】
しかし前記した従来の防水秤では、防水構造にするための専用の蓋体８，接続板３ｂ，シールパッキン６およびビス３ｃが必要で、部品点数が多く、それだけ構造の複雑化、大型化、重量増、組み付け性の煩雑化などの諸問題があった。
【０００４】
本発明は、前記した従来技術の問題点に鑑みてなされてものであり、その目的は、防水に専用の蓋体が不要となって、部品点数が少なく、構成が簡潔で、小型かつ軽量にして、組み付け性に優れた防水秤を提供することにある。
【０００５】
【課題を解決するための手段】
前記目的を達成するために、請求項１に係る発明の防水秤においては、立壁に囲まれた上方に開口する荷重検出機構収容室が形成された下ケースと、前記収容室に収容され、上方に計量皿を連結した荷重検出機構と、下端周縁部が前記下ケースの周縁部に嵌合し、前記収容室の上方を覆う防水カバーとなるドーム型の金属製上ケースを備え、前記上ケースの頂部には、前記計量皿と荷重検出機構を連結する連結部材が貫通する上方開口部が設けられ、前記連結部材に周設された係合溝に内周縁を圧入され、前記立壁に周設された係合溝に外周縁を圧入され、前記連結部材と前記立壁の間の隙間を閉塞する伸縮性の防水ダイヤフラムが介装されたことを特徴とする。
【０００６】
（作用）  下ケースに嵌合されて荷重検出機構収容室の上方を覆う金属製の上ケースが、荷重検出機構収容室への水の侵入を抑制する簡易防水カバーとして機能する。
【０００７】
また、上ケースが角形である従来構造では、上ケースの平坦な上方開口部周辺領域に水がたまりやすく、上方開口部から上ケース内に水が侵入しやすいが、ドーム型の上ケースでは、外側ほど徐々に下方に傾斜し水滴の落下に適した上方開口部周辺領域には水がたまりにくく、したがって上方開口部から上ケース内に水が侵入しにくい。それでも、上カバーの内部には、計量皿を伝わる等して上カバーの上方開口部から水が侵入する恐れがあるが、連結部材と立壁間に介装された防水ダイヤフラムによって、荷重検出機構収容室内は液密状態に確実にシールされる。したがって、防水カバーとなる上ケースと下ケース間の嵌合部は、厳格な液密性を要求しない簡易シールでよく、それだけ上ケースの構成が簡潔となる。しかも、防水ダイヤフラムは伸縮性があり、計量時における連結部材の上下動に対する抵抗として作用しない。なお、防水ダイヤフラムは、従来の防水膜シートの取着に不可欠であったビス止めを全く用いない圧入により、連結部材と立壁間に簡単に介装できる。
【０００８】
また、上ケースが従来構造における防水専用の蓋体と外部ケースとを兼ねるので、防水専用の蓋体が不要となって、防水構造の部品点数が低減し、構成が簡潔化し、組み付け性もよく、防水秤が小型かつ軽量化する。
【０００９】
また、この種の防水秤は、魚や農作物等を計量する汎用の天秤として広く使用されるものであり、上ケースを金属製とすることで、堅牢かつ長寿命にして、ある程度の重量を持たせる上で有効である。特に、上ケースをアルミニウムダイキャストやステンレスで構成した場合は、耐錆性、耐熱性、耐久性、耐薬品性等において優れる。
【００１０】
請求項２に係る発明の防水秤においては、請求項１に記載の防水秤において、前記上ケースに設けた側方開口部には、防水機能を備えた合成樹脂製表示ユニットを取着し、前記立壁に設けた貫通孔から導出して前記表示ユニットに延びる通電用コードを、前記表示ユニットと前記立壁間に配設したフレキシブルな防水パイプ内に挿通するように構成した。
【００１１】
（作用）通電部を内蔵する表示ユニットは防水機能を備えている。また表示ユニット背面壁と立壁間にまたがって配設された防水パイプは、荷重検出機構側と表示ユニット側とを電気的に接続する通電路（通電コード）を、簡易防水構造のため水密性が不十分な上ケース内部から隔離して確実に防水する。
【００１２】
また、上ケースを下ケースに組み付ける際は、上ケースに一体化された表示ユニットと立壁とが防水パイプで繋がっている形態で行うが、フレキシブルな防水パイプは下ケースと上ケース間のスペースに追随できるので、防水パイプが上下のケースの組み付け作業の邪魔になることはない。
【００１３】
請求項３に係る発明の防水秤においては、請求項１に記載の防水秤において、前記下ケースにおける前記荷重検出機構収容室の真下に、蓋が底面側に開口可能な電源収容室を設けるように構成した。
【００１４】
（作用）上ケースと下ケースによって秤本体ケースが構成され、下ケースに設けられた電源収容室は下ケース内部側ではなく秤本体ケース（下ケース）の底面側に開口できるため、上ケースを下ケースから取り外すことなく、秤本体ケース（下ケース）の底面側から電源（例えば乾電池）を交換することができる。
【００１５】
また、下ケースにおける荷重検出機構収容室の下方に重量のある電源（例えば、乾電池）が収容されるため、秤全体の重心位置がそれだけ低くなって、安定する。即ち、計量皿の中心から外れた位置に重量のある被計量物を載せたり、上ケース（の表示ユニット）に設けた電源スイッチ等のスイッチ類の操作の際に秤本体ケース（上ケース）に指の押圧力が作用したとしても、秤全体の重心位置が低いので、バランスを崩して秤が倒れる等といった不具合は発生しない。
【００１６】
また、一般に荷重検出機構収容室内には、荷重検出機構で検出した検出値を演算制御等する電子回路基板が設けられるが、荷重検出機構収容室は、電源収容室相当だけ底上げされた下ケース内の上方位置に配置されることとなって、それだけ荷重検出機構および電子回路基板は湿気にさらされにくい。
【００２０】
請求項４に係る発明の防水秤においては、立壁に囲まれた上方に開口する荷重検出機構収容室が形成された合成樹脂製下ケースと、前記収容室に収容された荷重検出機構と、前記荷重検出機構の上方に計量皿を連結する連結部材と、前記連結部材に周設された係合溝に内周縁が弾性係合し、かつ前記荷重検出機構収容室を形成する立壁に周設された係合溝に外周縁が弾性係合することで、前記連結部材と立壁間に介装された伸縮性の防水ダイヤフラムとを備えるように構成した。
（作用）防水ダイヤフラムの内外周縁を連結部材および立壁の係合溝にそれぞれ弾性係合させることで、連結部材と立壁間にダイヤフラムを簡単に介装できる。そして、防水ダイヤフラム内周縁と連結部材の係合溝との弾性係合部において防水がとられ、防水ダイヤフラム外周縁と立壁の係合溝との弾性係合部において防水がとられる。即ち、立壁内の荷重検出機構収容室は、立壁と連結部材間に介装された防水ダイヤフラムによって確実にシールされるので、従来構造において必要であった防水専用の蓋体が不要となり、防水構造の部品点数が低減して構成が簡潔化し、組み付け性もよく、防水秤が小型かつ軽量化する。
【００２１】
請求項５に係る発明の防水秤においては、請求項４に記載の防水秤において、前記防水ダイヤフラムの内周縁には前記連結部材に周設された係合溝へ弾性係合する厚肉リブが形成され、前記ダイヤフラムの外周縁には前記立壁の係合溝に弾性係合する断面コ字型の圧入部が形成され、前記厚肉リブはリング状弾性体の前記係合溝への圧入により前記連結部材に固定され、前記圧入部は紐状弾性体の前記圧入部のコ字開口部内への圧入により前記立壁に把持されるように構成した。
【００２２】
（作用）連結部材外周面の係合溝に圧入された防水ダイヤフラム内周縁の厚肉リブは、さらに係合溝に嵌入された（連結部材外周より小径の）リング状弾性体によって係合溝深さ方向に付勢されて、係合溝と防水カバー内周縁間の圧接力が高められるとともに、抜け止め保持される。また、立壁上端面の係合溝に圧入された防水ダイヤフラム外周縁の断面コ字型の圧入部は、さらに圧入部のコ字開口部内に圧入された紐状弾性体によって係合溝の対向側面に把持されて、抜け止め保持される。
【００２３】
【発明の実施の形態】
以下、本発明の好ましい実施の形態につき、添付図面を参照して詳細に説明する。
【００２４】
図１〜図９は、本発明の第１の実施例に係る防水秤を示し、図１は防水秤の縦断面図、図２は同防水秤の分解斜視図、図３は同防水秤の斜視図、図４は上ケースおよび計量皿を取り外した同防水秤の斜視図、図５は下ケースと上ケースの分解斜視図、図６は同防水秤の一部を断面で示す斜視図、図７は計量皿・荷重検出機構間連結部材と立壁上縁部間に介装された防水ダイヤフラムの縦断面図、図８は下ケースを背面側から見た斜視図、図９は下ケースの側方開口部への表示ユニット係合固定部の拡大断面図である。
【００２５】
これらの図において、本実施例に示す防水秤は、計量皿４０の下部に連結された荷重検出機構であるロードセル２０を収容する合成樹脂製の下ケース１０と、下ケース１０の周縁部に嵌合一体化されてロードセル２０の上方を覆う簡易防水カバーであるステンレス製の上ケース３０と、上ケース３０に一体化された表示ユニット５０とから主として構成されている。
【００２６】
下ケース１０上には、矩形筒型の立壁１２に取り囲まれたロードセル収容室１４が設けられて、ここにロードセル２０が収容されている。ロードセル２０は、起歪体２１に歪みゲージ（図示せず）を貼り付けて構成され、起歪体２１の荷重作用側端部には金属製上プレート枠２２ａが、起歪体２１の固定側端部には金属製下プレート枠２２ｂがそれぞれ固定されたユニットとして構成されている。そして、収容室１４の底面に下プレート枠２２ｂがねじ固定されている。ロードセル２０（金属製上プレート枠２２ａ）の上方には、連結部材４２を介して計量皿４０が連結一体化されている。計量皿４０は、プラットホーム４０ａとこれを覆うカバー４０ｂで構成されている。
【００２７】
連結部材４２は、ロードセル２０の上プレート枠２２ａに固定される矩形状のベース部４２ａと、計量皿４０がねじ固定される矩形ブロック状の頂部４２ｂと、両者４２ａ，４２ｂ間に設けられた円盤状部４２ｃとを備えた樹脂成形体で構成されている。
【００２８】
そして、軽量皿４０に載せた被計量物の重量は、ロードセル（歪みゲージ）２０の出力として検出され、起歪体２１の側面に固定された、演算制御部を構成する電子回路基板２４を経て、表示ユニット５０の液晶表示画面５０ａにデジタル表示される。
【００２９】
下ケース１０におけるロードセル収容室１４の真下には、パッキン１５ａで防水されるとともに、蓋１５を取り外すことで下方に開口可能な電源収容室１６が設けられており、本体ケースの外側から電源（例えば乾電池）１７を交換することができるので、非常に便利である。
【００３０】
また、ロードセル収容室１４は、電源収容室１６相当だけ底上げされて下ケース１０の底面から上方に離間する位置に設けられることとなって、それだけロードセル収容室１４に収容されるロードセル２０や電子回路基板２４が湿気の影響を受けにくい。
【００３１】
また、電源収容室１６に重量のある電源（例えば、乾電池）１７が収容されると、秤全体の重心位置がそれだけ低くなって、安定する。即ち、計量皿４０の中心から外れた位置に重量のある被計量物を載せたり、表示ユニット５０に設けた電源スイッチ等のスイッチ類の操作の際に秤本体ケース（上ケース３０）に指の押圧力が作用したとしても、秤全体の重心位置が低いので、バランスを崩して秤が倒れる等といった不具合は発生しない。
【００３２】
また、ロードセル収容室１４を形成する立壁１２の上縁部とロードセル２０上方の連結部材４２との間には、連結部材４２の上下動作に対する負荷を作用させることなく両者１２，４２間の隙間を確実に閉塞密封する伸縮性に富む防水ダイヤフラム６０が介装されている。
【００３３】
ダイヤフラム６０は、軟質ゴムで構成され、連結部材４２の円盤状部４２ｃの外形に整合する大きさの円形内周縁６１と、立壁１２（ロードセル収容室１４）の外形に略整合する大きさの矩形状外周縁６５と、連結部材４２のベース部４２ａ外周に密着できる矩形状の中央延在部６２とを備えて構成されている。そして、図７に拡大して示すように、連結部材４２の円盤状部４２ｃの外周面には係合溝４３が周設され、立壁１２の上縁部端面には矩形溝１３が周設されている。一方、ダイヤフラム６０の内周縁６１には、連結部材４２側の係合溝４３に弾性係合する厚肉リブ６３が周設され、ダイヤフラム６０の外周縁６５には、立壁１２側の係合溝１３に弾性係合する断面コ字型の圧接部（断面凹状圧入部）６６が周設されている。
【００３４】
そして、ダイヤフラム内周縁６１側の厚肉リブ６３を連結部材４２側の係合溝４３に弾性係合させるとともに、連結部材４２の外形よりも小径のゴム製のＯリング６４を厚肉リブ６３の上から係合溝４３に圧入装填することで、厚肉リブ６３は係合溝４３の深さ方向に付勢されて抜け止め保持される。即ち、ダイヤフラム内周縁６１と連結部材４２（の係合溝４３）間の弾性係合部は、水密性が確保された形態に保持される。一方、ダイヤフラム外周縁６５側の断面コ字型圧接部６６を立壁１２側の係合溝１３に弾性係合させるとともに、圧接部６６のコ字開口部６６ａ内にゴム製の紐状弾性体６７を圧入装填することで、断面コ字型圧接部６６は係合溝１３の溝幅方向外方に付勢されて（断面コ字型圧接部６６は係合溝１３の対向側面に圧接して）抜け止め保持される。即ち、ダイヤフラム外周縁６５と立壁１２（の係合溝１３）間の弾性係合部は、水密性が確保された形態に保持される。
【００３５】
また、上ケース３０は、手で掴み易いドーム型に形成されており、その天頂部は、ロードセル２０と計量皿４０を連結する連結部材４２の外周近傍位置まで延びている。即ち、上ケース３０の天頂部には、連結部材４２が上下に貫通する上方開口部３２が設けられており、上ケース３０の下端部には、縁部を内側に折り曲げた折曲部３１が下端縁部に沿って周設されている。一方、下ケース１０におけるフランジ状周縁部１１の外周には、上ケース担持用の水平リブ１１ａが設けられるともに、複数箇所に上ケース３０側の折曲部３１を係止するフック１１ｂが設けられている。そして、上ケース３０の下端部を水平リブ１１ａに当接させ、折曲部３１を下ケース１０側のフック１１ｂに係合させることで、抜け止め保持されて、本体ケースとして一体化されている。
【００３６】
また、この上ケース３０は、その天頂部が立壁１２の上方を越えてロードセル収容室１４の上方を覆う位置まで延在して、ロードセル収容室１４に水が侵入することを抑制する簡易防水カバーとして機能する。
【００３７】
また、ドーム型の上ケース３０は、全体が外側ほど徐々に下方に傾斜し水滴の落下に適した曲面形状であるため、上方開口部３２の周辺領域に水がたまりにくく、したがって上方開口部３２から上ケース３０内に水が侵入しにくい。
【００３８】
なお、この上ケース３０は、切断工程を含む板金のプレス成形により、簡単に量産できる。特に、上ケース３０はステンレス製であるため、耐錆性、耐熱性、耐久性、耐薬品性等において優れる他、ステンレス特有の金属光沢が従来の樹脂製ケースでは得られない落ち着いた質感，高級感および清潔感が得られる。
【００３９】
表示ユニット５０は、合成樹脂製の前面側ケース５１と合成樹脂製の背面側ケース５３間係合部にパッキン５４が介在されて、電装品を収容した表示ユニット５０内の防水がとられている。そして、上ケース３０の側壁に設けられた側方開口部３４に表示ユニット５０が上ケース３０前面側から嵌め込まれるとともに、図８，９に示すように、ビス５８と金属製ブラケット５９によって固定されている。前面側ケース５１の周縁枠５２の背面側は、下ケース３０の曲面（側方開口部３４の周縁部の曲面）に倣う形状に形成されるとともに、周縁枠５２および背面側ケース５３には、上ケースの側方開口部３４の内周縁に係合する複数の位置決め用のボス５４が設けられている。ブラケット５９はＬ字型で、上ケース３０との当接部であるその先端部は、曲面に対応できる円弧形状に形成されている。そして、上ケース３０の側方開口部３４に表示ユニット５０を上ケース３０前面側から嵌め込むとともに、ビス５８と金属製ブラケット５９によって固定一体化する。即ち、表示ユニット５０の背面側を開口部３４に係合させると、位置決め用のボス５４が開口部３４周縁に圧接してガタなく保持されるので、四隅のボス５４にブラケット５９をビス５８で仮止めする。次いで、前面側ケース５１の周縁枠５２が開口部３４の周縁に密着しブラケット５９の円弧状の先端部５９ａが開口部３４周縁にバランスよく当接するように調節しながらビス５８を締め付けることで、簡単に固定できる。
【００４０】
また図５に示すように、表示ユニット５０の背面壁には、ユニット５０内に延びる挿通孔５５ａを設けたボス５５が突設され、一方、立壁１２の外周面にも立壁１２内（ロードセル収容室１４）に延びる挿通孔１１５ａを設けたボス１１５が突設されている。そして、両ボス５５，１１５間には、表示ユニット５０の内部と立壁１２の内部とを連通させるフレキシブルなビニール製の防水パイプ５６が配設されるとともに、ロードセル２０と表示ユニット５０とを電気的に接続する通電用コード２８が防水パイプ５６内に挿通されている。
【００４１】
この表示ユニット５０の背面壁と立壁１２間にまたがって配設された防水パイプ５６は、ロードセル２０側と表示ユニット５０側とを電気的に接続する通電路（通電用コード２８）を、簡易防水のため水密性が不十分な上ケース３０の内部空間から隔離して確実に防水するので、ロードセル２０と表示ユニット５０間の通電路における絶縁が阻害されることはない。なお、図４に示す符号５７は、密閉された立壁１２の内部を下ケース１０の下方に連通させて、ロードセル収容室１４を大気圧に解放するためのフレキシブルな防水パイプである。
【００４２】
このように本実施例では、上ケース３０が水に強いステンレス製で、ロードセル２０や電子回路基板２４が収容されるロードセル収容室１４内は防水ダイヤフラム６０で水密性が確保され、電子回路基板２４と表示ユニット５０間の通電路である通電用コード２８は立壁１２と表示ユニット５０間に配設された防水パイプ５６によって水密性が確保されて、上ケース３０内に水が侵入しても秤としての機能が損なわれない構造となっている。したがって、本実施例に示す防水秤は、例えば肉や野菜や魚といった鮮度のある種々の食材の計量に使用でき、秤が汚れた場合には、上ケース３０内に水が入ることを気にすることなく計量皿４０の上から積極的に水を注いで、計量皿４０や上ケース３０に付着した汚れを洗い流すことができる。
【００４３】
また、上ケース３０を下ケース１０に組み付ける際は、上ケース３０に一体化された表示ユニット５０と立壁１２とが防水パイプ５６で繋がっている形態で行うが、フレキシブルな防水パイプ５６は変形が容易で、下ケース１０と上ケース３０間のスペースに追随できるので、防水パイプ５６，５７が上下のケース３０，１０の組み付け作業の邪魔になることはない。
【００４４】
なお、前記した実施例では、立壁１２の上端面に係合溝１３が設けられ、この係合溝１３にダイヤフラム外周縁６５側の断面コ字型圧接部６６が弾性係合し、さらに圧接部６６のコ字開口部６６ａ内にゴム製の紐状弾性体６７を圧入装填することで、ダイヤフラム６０の外周縁６５側が係合溝１３に対し抜け止め保持される構造であったが、図１０（ａ），（ｂ）に示すように、立壁１２の外周面に係合溝１３を周設し、この係合溝１３にダイヤフラム外周縁６５側に周設した断面コ字型圧接部６６または厚肉リブ６３ａを弾性係合させるとともに、さらに立壁１２の外形よりも小さい径のゴム製のＯリング６０を圧接部６６のコ字開口部６６ａ内や厚肉リブ６３ａの上から係合溝１３に圧入装填することで、ダイヤフラム外周縁６５側を係合溝１３に対し抜け止め保持するように構成してもよい。
【００４５】
また、前記した実施例では、上ケース３０がステンレス製として説明されているが、アルミニウムダイキャスト製その他の金属製であってもよい。
【００４６】
【発明の効果】
以上の説明から明らかなように、請求項１に係る発明によれば、立壁内側の荷重検出機構収容室は、簡易防水カバーとして機能する外側の上ケースに加えて、連結部材の上下動作を妨げない防水ダイヤフラムによって確実にシールされるので、部品点数が少なく、構成が簡潔で、小型軽量にして組み付け性及び防水性もよいので、使い勝手のよい長期使用可能な防水秤を安価に提供できる。
【００４７】
特に、上ケースをステンレスで構成した場合には、耐錆性、耐熱性、耐久性、耐薬品性等において優れる他、ステンレス特有の金属光沢が従来の樹脂製ケースでは得られない落ち着いた高級感と清潔感が得られて、他の防水秤との著しい差別化を図ることができる。さらに、ステンレス製上ケースは、プレス成形によって簡単に量産できるので、防水秤の大幅な低コスト化を実現できる。
【００４８】
請求項２に係る発明によれば、防水機能を備えた表示ユニット内と立壁内とを連通する防水パイプによって、立壁内の荷重検出機構側と表示ユニット側とを電気的に接続する通電路（通電コード）が確実に防水されて絶縁が確保される。
【００４９】
また、表示ユニットと立壁間にまたがって配設された防水パイプはフレキシブルであるため、表示ユニットを上ケースに一体化したものを下ケースにスムーズに組み付けることができ、防水秤の組み立て作業が簡単となる。
【００５０】
請求項３に係る発明によれば、下ケースの底面側から電源を交換できるので、電源の交換作業が簡単となる。
【００５１】
また、秤全体の重心位置が低いので安定性に優れ、それだけ使い勝手がよい。
【００５２】
また、下ケース底面から上方に離間した湿気の影響を受けにくい位置に荷重検出機構や電子回路基板を設けることができるので、秤の長期の使用が保証される。
【００５４】
請求項４に係る発明によれば、部品点数が少なく、構成が簡潔で、小型・軽量にして組み付け製および防水性に優れた防水秤を安価に提供できる。
【００５５】
請求項５に係る発明によれば、リング状弾性体と紐状弾性体を用いることで、防水ダイヤフラムの内外周縁を連結部材および立壁の各係合溝にそれぞれ抜け止めされた状態に簡単に装填できるので、連結部材と立壁間への防水ダイヤフラムの介装、ひいては防水秤の組付けが簡単となる。
【００５６】
【図面の簡単な説明】
【図１】  本発明の第１の実施例である防水秤の縦断面図である。
【図２】  同防水秤の分解斜視図である。
【図３】  同防水秤の斜視図である。
【図４】  上ケースおよび計量皿を取り外した同防水秤の斜視図である。
【図５】  下ケースと上ケースの分解斜視図である。
【図６】  同防水秤の一部を断面で示す斜視図である。
【図７】  計量皿と荷重検出機構を連結する連結部材と、荷重検出機構収容室を形成する立壁上縁部間に介装された防水ダイヤフラムの縦断面図である。
【図８】  下ケースを背面側から見た斜視図である。
【図９】  下ケースの側方開口部への表示ユニット係合固定部の拡大断面図である。
【図１０】  （ａ）本発明の第２の実施例である防水秤の要部縦断面図である。
（ｂ）本発明の第３の実施例である防水秤の要部縦断面図である。
【図１１】  従来の電子秤の縦断面図である。
【符号の説明】
１０  下ケース
１１  下ケースの周縁部
１１ａ  水平リブ
１１ｂ  フック
１２  立壁
１３  立壁上縁部に周設された係合溝
１４  ロードセル収容室（荷重検出機構収容室）
１５ａ  パッキン
１５  電源収容室の蓋
１６  電源収容室
１７  電源である乾電池
２０  ロードセル（荷重検出機構）
２１  起歪体
２４  電子回路基板
２８  通電用コード
３０  上ケース
４０  計量皿
４２  連結部材
４３  連結部材に周設された係合溝
５０  表示ユニット
５６  防水パイプ
６０  伸縮性の防水ダイヤフラム
６１  防水ダイヤフラムの内周縁
６３  防水ダイヤフラムの内周縁に周設された厚肉リブ
６４  Ｏリング（リング状弾性体）
６５  ダイヤフラムの外周縁
６６  ダイヤフラムの外周縁に周設された断面コ字型の圧接部（圧入部）
６７  断面コ字型の圧接部のコ字開口部内に圧入される紐状弾性体
【図１】
0003942947.tif 000002
【図２】
0003942947.tif 000003
【図３】
0003942947.tif 000004
【図４】
0003942947.tif 000005
【図５】
0003942947.tif 000006
【図６】
0003942947.tif 000007
【図７】
0003942947.tif 000008
【図８】
0003942947.tif 000009
【図９】
0003942947.tif 000010
【図１０】
0003942947.tif 000011
【図１１】
0003942947.tif 000012